(57)【要約】【課題】ソレノイドによる推力をネジ山で保持されたネジ軸を介することで、該ネジ軸が回転に伴い突出する構造にしたソレノイド装置を提供。【解決手段】ハウジング１１の端面に密着固定されたスリーブ２２の内孔２３に、雌ネジ２４を形成したネジ軸受２５が嵌着されている。ネジ軸受２５には，雌ネジ２４に螺合するネジ軸２６が螺合している。ネジ軸２６は一端がロッド１８に球形部２７を介して当接している。  ネジ軸２６の先端には、スリーブ２２の内孔開口部２８に収納された回転重量体２９が設けられている。さらに、雌ネジ２４と回転重量体２９との間にはネジ軸２６に遊挿され、両端がネジ軸受２５と回転重量体２９に支持されたばね部材３０が装着されている。ばね部材３０はソレノイドの非励磁に前記ロッド１８を初期位置に戻す機能を有する。【選択図】図２
2017092332.tif 000002
【特許請求の範囲】
【請求項１】
ハウジングの外周にソレノイドを配置すると共に該ハウジングに嵌合孔を形成し、前記嵌合孔に嵌挿されてロッドを支持し該ロッドに協動する軸受機構を備えたソレノイド装置において、
前記ソレノイド装置は
前記ハウジングの端面に密着固定されたスリーブと、
前記スリーブに形成されたネジ機構山に螺合し一端が前記ロッドに係合するネジ軸と、
前記ネジ軸の一端に取着された回転重量体と、
前記ネジ軸に遊挿され両端が前記スリーブ及び前記回転重量体に支持され、前記ソレノイドの非励磁に前記ロッドを初期位置に戻すばね部材と、
を備え、
前記ネジ軸が回転する際、前記回転重量体の重さにより該ネジ軸に変位の遅れが発生し、前記ロッドの突出速度を調整することを特徴とするソレノイド装置。
【発明の詳細な説明】
【技術分野】
【０００１】
本発明は自動車用自動変速のアクチュータ、ロックソレノイドに用いられるソレノイド装置に関するものである。
【背景技術】
【０００２】
従来、この種のソレノイドは、可動鉄芯が固定鉄芯に当接する際、可動鉄芯の作動速度を減少させるために、絞りによる流体のダンパ効果を使用している。これにより、可動鉄芯（プランジャ）の衝撃が干渉され衝突音を低減できる。そして、ダンパー効果を得るために、電磁部内の固定鉄芯等にＯリングにて機密にシールしダンパー室を設ける構造等がる（例えば、特許文献１参照）。
さらに、底面を有するスリーブと、プランジャとの間にシール性によってダンパー効果を得ている（例えば、特許文献２参照。）
【先行技術文献】
【特許文献】
【０００３】
【特許文献１】実開平５−３１２０７号公報
【特許文献２】特開２００８−０９８４０４号公報
【発明の概要】
【発明が解決しようとする課題】
【０００４】
しかしながら、特許文献１、特許文献２では、共に流体がダンパ絞り部を通過する際のダンパ効果を使用しているが、温度によらず安定したダンパー効果を得るためには、ダンパ室には温度による粘度依存が小さいエアーを使用する必要がある。仮に、油等の流体がダンパ室にある場合には、温度による粘度変化により、ダンパ効果が温度により著しく変動することになる。
さらに、温度依存の問題があるために、ダンパ絞りを用いたものは、油の混入等のない気中環境下での使用が必要である。また絞り部に油の浸入がなされないための構造が必要となる。
さらにまた、ダンパー効果の増大を見込む場合、流体の粘度に対して、ダンパ絞り部の面積を十分に小さくする必要がるが、絞り面積が小さくなればなるほど異物に対してのトラブル危険性が増大するため、ダンパ効果の制限やコスト増が発生する。
本発明は係る課題を解決するためになされたもので、ソレノイドによる推力をネジ山で保持されたシャフトを介する事で、シャフトが回転に伴い突出する構造にした。これにより、シャフトと該シャフトに取り付ける回転重量体により、慣性モーメントが発生による遅れ要素を発生させるソレノイド装置を提供することを目的とする。
【課題を解決するための手段】
【０００５】
前記課題を解決するための本発明は、
ハウジングの外周にソレノイドを配置すると共に該ハウジングに嵌合孔を形成し、前記嵌合孔に嵌挿されてロッドを支持し該ロッドに協動する軸受機構を備えたソレノイド装置において、
前記ソレノイド装置は
前記ハウジングの端面に密着固定されたスリーブと、
前記スリーブに形成されたネジ機構山に螺合し一端が前記ロッドに係合するネジ軸と、
前記ネジ軸の一端に取着された回転重量体と、
前記ネジ軸に遊挿され両端が前記スリーブ及び前記回転重量体に支持され、前記ソレノイドの非励磁に前記ロッドを初期位置に戻すばね部材と、
を備え、
前記ネジ軸が回転する際、前記回転重量体の重さにより該ネジ軸に変位の遅れが発生し、前記ロッドの突出速度を調整することを特徴とする。
【発明の効果】
【０００６】
本発明によれば、流体によるダンパ効果を使用せずソレノイドによる推力をネジ山で保持されたネジ軸を介することで、該ネジ軸が回転に伴い突出する構造にしたので、ネジ軸と該ネジ軸に取り付ける回転重量体により慣性モーメントが発生による遅れ要素がないので、温度の依存性がなくなる。このため、気中での使用に制限されない。
さらに、ダンパ効果を増大させようとする際は、ネジ軸に固定する回転重量体を増やすことで、慣性モーメントを増大できる。また、流体の絞り面積を絞る等の異物トラブルが発生しない。
【図面の簡単な説明】
【０００７】
【図１】本発明の実施の形態に係るソレノイド装置の略縦断面図で、（ａ）は非通電時の状態を示し、（ｂ）は通電時の状態を示す。
【図２】図１の分解斜視図である。
【０００８】
以下、本発明のソレノイド装置につき好適の実施の形態を挙げ、図１及び図２を参照して詳細に説明する。
図１の示すように、ソレノイド装置１０は、磁性体の金属材料であるハウジング１１を有し、該ハウジング１１は円筒部１２とフランジ部１３とを備える。前記ハウジング１１の内方には、嵌合孔１４が貫通して形成される。この場合、円筒部１２は固定鉄芯として機能する。
嵌合孔１４に嵌着された軸受機構１５は軸心方向に沿って比較的に肉厚の薄い円筒形状のリテーナ１６と、該リテーナ１６に嵌挿される磁性体の金属製のボール１７とを備え、
ロッド１８が軸心方向に変位するときのガイド機能を有する。
【０００９】
参照符号１９はロッド１８に一体になった可動鉄芯を示すもので、カバー２０内に摺動自在に嵌挿されている。参照符号２１はソレノイドを示すもので、カバー２０に一体的に成形されている。
参照符号２２は前記ハウジング１１の端面に密着固定されたスリーブを示すもので、該スリーブ２２の内孔２３に、雌ネジ２４（ネジ機構）を形成したネジ軸受２５が嵌着されている。
ネジ軸受２５には、内孔に雌ネジ２４に螺合する雄ネジ２６ａ（ネジ機構）を備えるネジ軸２６が螺着されている。ネジ軸２６は一端がロッド１８に球形部２７を介して当接している。
【００１０】
ネジ軸２６の先端(図１で下端)には、スリーブ２２の段付内孔開口部２８に収納された回転重量体２９が該ネジ軸２６と一体的に設けられている。さらに、雄ネジ２６ａに遊挿され一端が段付内孔開口部２８の奥部の面に係合し他端が回転重量体２９の上側壁面に支持されたばね部材３０が装着されている
ばね部材３０はソレノイド２１の非励磁に前記ロッド１８を初期位置に戻す機能を有する。
参照符号３１はスラスト軸受を示すもので、ネジ軸２６に遊挿されるとともに回転重量体２９とばね部材３０との間に設けられている。
【００１１】
本発明の実施の形態に係る可ソレノイド装置１０は、基本的には以上のように構成されるものであり、次に動作ならびに作用効果について説明する。
図１（ｂ）に示すようにソレノイド２１が通電すると、該ソレノイド２１の電磁力（吸引力）によりロッド１８が前進（１図（ｂ）で上昇）すると、該ロッド１８はネジ軸２６と協動する。
この際、ネジ軸２６は雄ネジ２６ａが雌ネジ２４に螺合しているので、ロッド１８の前進と共に回転しながら前進する。
ネジ軸２６が回転する際、該ネジ軸２６に固定された回転重量体２９の重さによりネジ軸２６に変位の遅れが発生し、ロッド１８の突出速度を調整することができる。突出速度の調整は、ネジ軸２６を回転させるネジ仕様、回転重量体２９の重さにより任意に調整することが可能である。
【符号の説明】
【００１２】
１０  ソレノイド装置              １１  ハウジング
１２  円筒部                      １３  フランジ部
１４  嵌合孔                      １５  軸受機構
１６  リテーナ                    １７  ボール
１８  ロッド                      １９  可動鉄芯
２０  カバー                      ２１  ソレノイド
２２  スリーブ                    ２３  内孔
２４  雌ねじ                      ２５  ネジ軸受
２６  ネジ軸                      ２６ａ  雄ネジ
２７  球形部                      ２８  段付内孔開口部
２９  回転重量体                  ３０  ばね部材
３１  スラスト軸受
【図１】
2017092332.tif 000003
【図２】
2017092332.tif 000004